(57)【要約】【課題】  歪曲収差以外の諸収差を良好に補正し、高変倍比、広画角、高性能である小型なズームレンズを提供すること。【解決手段】物体側より像側へ順に、正の屈折力の第１レンズ群、負の屈折力の第２レンズ群、正の屈折力の第３レンズ群、後群を有し、該第１レンズ群は３枚から構成され、該後群は３枚以下で構成され、広角端から望遠端へのズーミングに際し、第１レンズ群は一旦像側へ移動し、その後物体側へ移動する像側凸の軌跡で移動し、広角端の焦点距離ｆＷ、第１レンズ群の焦点距離ｆ１、レンズの部分分散比θｇＦ、アッベ数νｄ、広角端から望遠端へのズーミングにおける第１レンズ群の広角端から最も像側へ位置する中間領域までの移動量Ｍａを各々適切に設定すること。【選択図】図１
2019095626.tif 000002
【特許請求の範囲】
【請求項１】
物体側より像側へ順に、正の屈折力の第１レンズ群、負の屈折力の第２レンズ群、正の屈折力の第３レンズ群、後群を有し、
該第１レンズ群は３枚から構成され、
該後群は３枚以下で構成され、
広角端から望遠端へのズーミングに際し、第１レンズ群は一旦像側へ移動し、その後物体側へ移動する像側凸の軌跡で移動し、
広角端の焦点距離をｆＷ、該第１レンズ群の焦点距離ｆ１、レンズの部分分散比をθｇＦ、アッベ数をνｄ、広角端から望遠端へのズーミングにおける第１レンズ群の広角端から最も像側へ位置する中間領域までの移動量をＭａとしたとき、該第１レンズ群内の正レンズすべて、および、該第３レンズ群内の正レンズに少なくとも１枚、および、該後群の少なくとも１枚のレンズが、下記条件を満足することを特徴とするズームレンズ。
θｇＦ−（−１．６６５×１０−７・νｄ３＋５．２１３×１０−５・νｄ２−５．６５６×１０−３・νｄ＋０．７３７）＞  ０
１８．０  ＜  ｆ１／ｆＷ  ＜  ４０．０
３．０  ＜  ｆ１／Ｍａ  ＜  ３０．０
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、以下の式で表される。
νｄ＝（Ｎｄ−１）／（ＮＦ−ＮＣ）
θｇＦ＝（Ｎｇ−ＮＦ）／（ＮＦ−ＮＣ）
【請求項２】
Ａ.前記ズームレンズにおいて、前記望遠端の焦点距離をｆＴ、前記第１レンズ群の焦点距離をｆ１とするとき、以下の条件を満足することを特徴とする下記条件を満足することを特徴とする請求項１に記載のズームレンズ。
１．５  ＜  ｆＴ／ｆ１  ＜  ５．０
【請求項３】
Ａ.前記ズームレンズにおいて、前記第２レンズ群の焦点距離をｆ２とするとき、以下の条件を満足することを特徴とする請求項１または２に記載のズームレンズ。
１５．０  ＜  ｜ｆＴ／ｆ２｜  ＜  ５０．０
【請求項４】
Ａ.前記ズームレンズにおいて、望遠端の焦点距離をｆＴとするとき、該第３レンズ群の焦点距離をｆ３とするとき、下記条件を満足することを特徴とする請求項１乃至請求項３のいずれか１項に記載のズームレンズ。
９．０  ＜  ｆＴ／ｆ３  ＜  ２８．０
【請求項５】
Ａ.前記ズームレンズにおいて、広角端から望遠端における第１レンズ群の移動量をＭ１とするとき、下記条件を満足することを特徴とする請求項１乃至請求項４のいずれか１項に記載のズームレンズ。
−２５．０  ＜  Ｍ１／ｆＷ ＜  −３．０
【請求項６】
Ａ.前記ズームレンズにおいて、下記条件を満足することを特徴とする請求項１乃至請求項５のいずれか１項に記載のズームレンズ。
２．０  ＜  ｆ１／ｆ３  ＜  １２．０
【請求項７】
Ａ.前記ズームレンズにおいて、下記条件を満足することを特徴とする請求項１乃至請求項６のいずれか１項に記載のズームレンズ。
６．０  ＜  ｜ｆ１／ｆ２｜  ＜  １５．０
【請求項８】
Ａ.前記ズームレンズにおいて、前記第２レンズ群と前記第３レンズ群の間に絞り群を有し、ズーミングに際し、絞り群は各レンズ群とは別軌跡で移動し、広角端における絞り群と第３レンズ群の間隔をＤＷ、望遠端における絞り群と第３レンズ群の間隔をＤＴとしたとき、下記条件を満足することを特徴とする請求項１乃至請求項７のいずれか１項に記載のズームレンズ。
１．０  ＜  ｜ＤＷ｜／｜ＤＴ｜  ＜  ５００．０
【請求項９】
Ａ.前記ズームレンズにおいて、広角端から望遠端へのズーミングにおける第１レンズ群の最も像側へ位置する中間領域から望遠端までの移動量をＭｂとしたとき、下記条件を満足することを特徴とする請求項１乃至請求項８のいずれか１項に記載のズームレンズ。
−２０．０  ＜  Ｍｂ／Ｍａ  ＜  −２．０
【請求項１０】
Ａ.前記ズームレンズにおいて、第３レンズ群以降のレンズの屈折率の平均値をＮａｖｅとしたとき、下記条件を満足することを特徴とする請求項１乃至請求項９のいずれか１項に記載のズームレンズ。
１．５０００  ＜  Ｎａｖｅ  ＜  １．５９００
【請求項１１】
Ａ.前記ズームレンズにおいて、第１レンズ群の正レンズのアッベ数をνｄ１としたとき、該正レンズのすべてが、下記条件を満足することを特徴とする請求項１乃至請求項１０のいずれか１項に記載のズームレンズ。
６５.０  ＜  νｄ１  ＜  １００.０
【請求項１２】
Ａ.前記ズームレンズにおいて、第３レンズ群以降のレンズのアッベ数をνｄ３ｒとしたとき、該レンズのすべてが、下記条件を満足することを特徴とする請求項１乃至請求項１１のいずれか１項に記載のズームレンズ。
２０.０  ＜  νｄ３ｒ  ＜  ６５.０
【請求項１３】
Ａ.前記ズームレンズにおいて、第３レンズ群以降の正レンズのアッベ数をνｄ３ｐｒとしたとき、該正レンズのすべてが下記条件を満足することを特徴とする請求項１乃至請求項１２のいずれか１項に記載のズームレンズ。
５０．０  ＜  νｄ３ｐｒ  ＜  ６０.０
【請求項１４】
Ａ.前記ズームレンズにおいて、第３レンズ群以降の正レンズ群内の負レンズのアッベ数をνｄ３ｎｒとしたとき、負レンズのすべてが下記条件を満足することを特徴とする請求項１乃至請求項１３のいずれか１項に記載のズームレンズ。
２０．０  ＜  νｄ３ｎｒ  ＜  ３０.０
【請求項１５】
Ａ.前記第３レンズ群以降のレンズは、単レンズからなることを特徴とする請求項１乃至請求項１４のいずれか１項に記載のズームレンズ。
【請求項１６】
Ａ.請求項１乃至１５のいずれか１項に記載のズームレンズと、該ズームレンズによって形成される像を受光する光電変換素子を有していることを特徴とする撮像装置。
【発明の詳細な説明】
【技術分野】
【０００１】
本発明はスチルカメラやビデオカメラ、そしてデジタルスチルカメラ等に好適なズームレンズ及びそれを有する撮像装置に関するものである。
【０００２】
近年では画像処理の進歩により、歪曲収差の補正可能な技術が出現してきている。本発明はこうした画像処理技術の進歩を見越し、広角高倍率というハイスペックを狙いつつも、高画質に対応すべく高性能を狙った小型のデジタルカメラ、デジタルビデオカメラ、携帯端末用のレンズに関するものである。
【０００３】
また、画像処理を行わなくとも、ある程度歪曲収差が許されるレンズ、例えば監視用カメラ用のレンズにも関するものである。
【背景技術】
【０００４】
近年、固体撮像素子を用いたビデオカメラ、デジタルスチルカメラ等、撮像装置（カメラ）の高機能化にともない、それに用いる光学系には広い画角を包含し、高倍率である所謂ハイスペックなズームレンズが求められている。また、このようなハイスペックでありながら高性能化、小型化が要求されている。
【０００５】
これらの要求に応えるズームレンズとして、物体側より像側へ順に、正の屈折力のレンズ群、負の屈折力のレンズ群、そしてそれに続く１つ以上のレンズ群を含む後群を有するズームレンズが知られている。
【０００６】
後群のレンズ構成としては、正の屈折力の１つのレンズ群による構成、複数の正の屈折力のレンズ群による構成、正の屈折力のレンズ群と負の屈折力のレンズ群をそれぞれ１つ以上有する構成等が知られている。
【０００７】
これらのタイプのズームレンズでは、第１レンズ群により結像された像を、第２レンズ群以降のレンズ群を移動させて拡大又は縮小することでズーミングを行なっている。第１レンズ群が正の屈折率を有する所謂ポジティブリードタイプのズームレンズでは、第１レンズ群が負の屈折率を有するネガティブリードタイプのズームレンズに比べ高変倍比が得やすいという特徴を有している。
【０００８】
近年、このようなポジティブリードタイプのズームレンズにおいては、銀塩換算焦点距離で２８ｍｍ以下となる広角化、ズーム倍率が３０倍以上の高倍率化が進んでいる。ポジティブリードタイプのズームレンズは、第１レンズ群にて発生した収差が後群によって拡大されるため、特に焦点距離の長い望遠端では正の屈折力の第１レンズ群の収差補正は重要である。望遠端の軸上色収差を低減するためには、特に正の第１レンズ群内の正レンズに蛍石のような低分散で異常分散性の硝材を使用することが知られている。
【０００９】
さらに、望遠端の軸上色収差を低減するために、１群レンズ以降の正レンズ群の正レンズに異常分散性の硝材を使用することが有効であることが知られている。
【００１０】
しかしながら、第１レンズ群に異常分散性の硝材を使用すると、広角側にて倍率色収差が補正困難となるため、これを補正するために、絞り以降のレンズ群に効果的に異常分散性の硝材を使用する必要がある。
【００１１】
このように、ポジティブリードのズームタイプにおいて、第１レンズ群内の正レンズに異常分散性のガラス材を使用しつつ、絞り群以降のレンズ群に異常分散性の硝材を使用したズームレンズが知られている。
【先行技術文献】
【特許文献】
【００１２】
【特許文献１】特開２０１３−４４７５５号公報
【特許文献２】特開２０１３−７３１９６号公報
【発明の開示】
【発明が解決しようとする課題】
【００１３】
近年、撮像装置に用いるズームレンズには広い画角を包含し、高倍率な所謂ハイスペックでかつレンズ系全体で小型化であることが強く求められている。一般にズームレンズを小型化するためには、ズームレンズを構成する各レンズ群の屈折力を強めつつ、レンズ枚数を削減すればよい。
【００１４】
しかしながら、レンズ枚数が少なく、レンズ群の屈折力を強めると、諸収差が大きく発生し、収差補正が困難となる。望遠端の長焦点化において、特に球面収差、コマ収差、色収差が発生しやすいが、ポジティブリードのズームレンズにおいては特に正の屈折力の第１レンズ群に起因している。
【００１５】
上記、球面収差やコマ収差を良好に補正するためには、ポジティブリードのズームレンズの第１レンズ群は、第１レンズ群の屈折力に見合った枚数の正レンズの配置が必要となる。しかしながら、必要枚数以上の正レンズの配置は大型化となるため、球面収差、コマ収差を良好に補正できる枚数にて、軸上色収差を補正するために正レンズに異常分散性のレンズを使用するのが良い。
【００１６】
一般に光学ガラスは縦軸に部分分散比θｇＦが上方向に大きな値となるように、アッベ数を横軸に左方向が大きな値となるようにとったグラフ（以下「θｇＦ-νｄ図」と呼ぶ）上にマッピングさせると、ノーマルラインと呼ばれる直線に沿って分布することが知られている。
【００１７】
（ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、
νｄ＝（Ｎｄ−１）／（ＮＦ−ＮＣ）
θｇＦ＝（Ｎｇ−ＮＦ）／（ＮＦ−ＮＣ）
で表される量である。）
一般的に長焦点距離化されたポジティブリードのズームレンズにおいて、軸上光線は第１レンズ群で中心から離れた位置を通り、軸上色収差の二次スペクトルや、色による球面収差が発生しやすい。色による球面収差をバランスさせると軸上色収差量が大きくなる場合があるため、軸上色収差の二次スペクトルはできる限り小さい方が良い。
【００１８】
この第１レンズ群において、軸上色収差の二次スペクトルを補正するためには、θｇＦ-νｄ図において、第１レンズ群を構成する正レンズと負レンズの硝材を結んだ直線の傾きを緩くすること必要である。
【００１９】
例えば、蛍石のようにアッベ数が大きく、θｇＦ-νｄ図においてノーマルラインからθｇＦが大きくなる方向の離れた領域にあるガラス材料を第１レンズ群内の正レンズに用いる。さらに、ランタン系の硝材のように、θｇＦ-νｄ図においてノーマルラインからθｇＦが小さくなる方向の領域にあるガラス材料を第１レンズ群内の負レンズに用いる。
【００２０】
このような組み合わせでは第１レンズ群内での正レンズと負レンズの硝材を結ぶ直線の傾きがノーマルラインよりも大幅に緩くなり、軸上色収差の二次スペクトルを補正する効果がある。
このように第１レンズ群に使用するガラス材料を最適化することにより、第１レンズ群のレンズ枚数を抑えつつも、軸上色収差の二次スペクトルを小さくすることができる。
【００２１】
一方、広角端の広角化においては、倍率色収差が低下する方向にある。望遠端の軸上色収差を低減するために、第１レンズ群の正レンズに異常分散性のある硝材を使用すると、広角端において倍率色収差が低下する。広角端の倍率色収差の二次スペクトルが低下し、ｇ線の倍率色収差が補正過剰となる。
【００２２】
このように、単に異常分散性のある硝材をズームレンズに使用するだけでは、全ズーム範囲にわたり、高い光学性能を得ることは難しい。ノーマルラインから離れた領域にある異常分散性の硝材を用いて、高倍率化とレンズ系全体の小型化を図るには、ズームタイプ、各レンズ群の屈折力、これらのレンズを使用する群内のレンズの屈折力、レンズ構成、ズーム時のレンズ群の移動軌跡などを適切に設定する必要がある。
【００２３】
特開２０１３−４４７５５号公報では正の第１レンズ群、負の第２レンズ群、正の第３レンズ群、負の第４レンズ群、正の第５レンズ群からなり、第１レンズ群を３枚構成、後群を２枚構成とし、第１レンズ群内の正レンズすべて、第３レンズ群内の少なくとも１枚の正レンズ、後群の少なくとも１枚のレンズに異常分散性の硝材を用いた２６倍程度のズームレンズが提案されている。３０倍を超えるようなズーム倍率には及ばず、現状の屈折率配置での高倍率化は収差補正的に困難である。
【００２４】
特開２０１３−７３１９６号公報では正の第１レンズ群、負の第２レンズ群、正の第３レンズ群、負の第４レンズ群、正の第５レンズ群からなり、第１レンズ群は２枚構成とし、後群を２枚構成とし、第１レンズ群内の正レンズすべて、第３レンズ群の少なくとも１枚の正レンズ、後群の少なくとも１枚レンズに異常分散性の硝材を用いた５倍程度のズームレンズが提案されている。３０倍を超えるズーム倍率には及ばず、現状の屈折率配置での高倍率化は収差補正的に困難である。
【００２５】
本発明は、高倍率であるポジティブタイプのズームレンズにおいて、全ズーム範囲に渡り高い光学性能が得られ、ズーム倍率に対して小型であるズームレンズ及びそれらを有する撮像装置の提供を目的とする。
【課題を解決するための手段】
【００２６】
物体側より像側へ順に、正の屈折力の第１レンズ群、負の屈折力の第２レンズ群、正の屈折力の第３レンズ群、後群を有し、該第１レンズ群は３枚から構成され、該後群は３枚以下で構成され、広角端から望遠端へのズーミングに際し、第１レンズ群は一旦像側へ移動し、その後物体側へ移動する像側凸の軌跡で移動し、広角端の焦点距離をｆＷ、該第１レンズ群の焦点距離ｆ１、レンズの部分分散比をθｇＦ、アッベ数をνｄ、広角端から望遠端へのズーミングにおける第１レンズ群の広角端から最も像側へ位置する中間領域までの移動量をＭａとしたとき、該第１レンズ群内の正レンズすべて、および、該第３レンズ群内の正レンズに少なくとも１枚、および、該後群レンズの少なくとも１枚が、下記条件を満足することを特徴としている。
θｇＦ−（−１．６６５×１０−７・νｄ３＋５．２１３×１０−５・νｄ２−５．６５６×１０−３・νｄ＋０．７３７）＞  ０
１８．０  ＜  ｆ１／ｆＷ  ＜  ４０．０
３．０  ＜  ｆ１／Ｍａ  ＜  ３０．０
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、以下の式で表される。
νｄ＝（Ｎｄ−１）／（ＮＦ−ＮＣ）
θｇＦ＝（Ｎｇ−ＮＦ）／（ＮＦ−ＮＣ）
【発明の効果】
【００２７】
本発明によれば、歪曲収差以外の諸収差を良好に補正し、特に高倍率化による球面収差、コマ収差、軸上色収差の二次スペクトルを補正し、高変倍比、広画角、高性能である小型なズームレンズを実現することが可能となった。
【図面の簡単な説明】
【００２８】
【図１】数値実施例１のレンズ断面図
【図２】数値実施例１の広角端の収差図
【図３】数値実施例１の中間の収差図
【図４】数値実施例１の望遠端の収差図
【図５】数値実施例２のレンズ断面図
【図６】数値実施例２の広角端の収差図
【図７】数値実施例２の中間の収差図
【図８】数値実施例２の望遠端の収差図
【図９】数値実施例３のレンズ断面図
【図１０】数値実施例３の広角端の収差図
【図１１】数値実施例３の中間の収差図
【図１２】数値実施例３の望遠端の収差図
【図１３】数値実施例４のレンズ断面図
【図１４】数値実施例４の広角端の収差図
【図１５】数値実施例４の中間の収差図
【図１６】数値実施例４の望遠端の収差図
【図１７】数値実施例５のレンズ断面図
【図１８】数値実施例５の広角端の収差図
【図１９】数値実施例５の中間の収差図
【図２０】数値実施例５の望遠端の収差図
【図２１】数値実施例６のレンズ断面図
【図２２】数値実施例６の広角端の収差図
【図２３】数値実施例６の中間の収差図
【図２４】数値実施例６の望遠端の収差図
【図２５】数値実施例７のレンズ断面図
【図２６】数値実施例７の広角端の収差図
【図２７】数値実施例７の中間の収差図
【図２８】数値実施例７の望遠端の収差図
【図２９】本発明の光学機器の要部概略図
【図３０】θｇＦ-νｄ図
【発明を実施するための形態】
【００２９】
次に本発明のズームレンズを実施形態を交えて説明する。
【００３０】
＜数値実施例１＞
図１は数値実施例１のレンズ断面図である。図２〜図４は実施形態１の広角端，中間，望遠端の収差図である。数値実施例１は変倍比５８．３倍、開口比３．５０〜７．０７程度のズームレンズである。
【００３１】
広角端から望遠端へのズーミングに際して、第１レンズ群が像側に凸の軌跡で物体側へ移動、第２レンズ群が像側に移動し、絞りは物体側に移動し、第３レンズ群は物体側に移動し、第４レンズ群は物体側移動し、第５レンズ群は物体側に凸の軌跡で移動している。
【００３２】
＜数値実施例２＞
図５は数値実施例２のレンズ断面図である。図６〜図８は実施形態２の広角端，中間，望遠端の収差図である。
【００３３】
数値実施例２は変倍比５８．３倍、開口比３．５０〜７．０７程度のズームレンズである。広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側に移動し、第５レンズ群は物体側に凸の軌跡で移動している。
【００３４】
＜数値実施例３＞
図９は数値実施例３のレンズ断面図である。図１０〜図１２は実施形態３の広角端，中間，望遠端の収差図である。
【００３５】
数値実施例３は変倍比５８．３倍、開口比３．５０〜７．０７程度のズームレンズである。広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側移動し、第５レンズ群は物体側に凸の軌跡で移動している。
【００３６】
＜数値実施例４＞
図１３は数値実施例４のレンズ断面図である。図１４〜図１６は実施形態４の広角端，中間，望遠端の収差図である。数値実施例４は変倍比９４．４倍、開口比３．５０〜７．５０程度のズームレンズである。広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側に凸の軌跡で移動している。
【００３７】
＜数値実施例５＞
図１７は実施形態５のレンズ断面図である。図１８〜図２０は実施形態５の広角端，中間，望遠端の収差図である。数値実施例５は変倍比９５．０倍、開口比３．５０〜７．５０程度のズームレンズである。広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側に凸の軌跡で移動し、第５レンズ群はズーミング時不動としている。
【００３８】
＜数値実施例６＞
図２１は実施形態６のレンズ断面図である。図２２〜図２４は実施形態６の広角端，中間，望遠端の収差図である。数値実施例６は変倍比９４．６倍、開口比３．５０〜７．５０程度のズームレンズである。広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側に凸の軌跡で移動し、第５レンズ群はズーミング時不動である。
【００３９】
＜数値実施例７＞
図２５は実施形態７のレンズ断面図である。図２６〜図２８は実施形態７の広角端，中間，望遠端の収差図である。数値実施例７は変倍比９４．２倍、開口比３．５０〜７．５０程度のズームレンズである。
【００４０】
広角端から望遠端へのズーミングに際して、第１レンズ群が像側に凸の軌跡で移動、第２レンズ群が像側に移動し、絞りは物体側に移動し、第３レンズ群は物体側に移動し、第４レンズ群は物体側に凸の軌跡で移動している。
【００４１】
次に本発明のズームレンズを撮影光学系として用いたデジタルカメラ（光学機器）の実施形態を図２９を用いて説明する。
【００４２】
図２９において、２０はデジタルカメラ本体、２１は上述の実施形態のズームレンズによって構成された撮影光学系、２２は撮影光学系２１によって被写体像を受光するＣＣＤ等の撮像素子、２３は撮像素子２２が受光した被写体像を記録する記録手段、２４は不図示の表示素子に表示された被写体像を観察するためのファインダーである。
【００４３】
上記表示素子は液晶パネル等によって構成され、撮像素子２２上に形成された被写体像が表示される。２５は、前記ファインダーと同等の機能を有する液晶表示パネルである。
【００４４】
このように本発明のズームレンズをデジタルカメラ等の光学機器に適用することにより、小型で高い光学性能を有する光学機器を実現している。
【００４５】
次に「θｇＦ-νｄ図」を図３０を用いて説明する。図３０において、縦軸をθｇＦ、横軸をアッベ数νｄとしたとき、点は一般的な硝子、実直線がノーマルライン、点線（１）が条件式（１）を示している。
【００４６】
本実施形態のズームレンズは、ビデオカメラやデジタルスチルカメラ等の撮影光学系として用いられるものである。
【００４７】
本実施形態１、２、３のズームレンズは、物体側より像側へ順に、正の屈折力の第１レンズ群Ｌ１、負の屈折力の第２レンズ群Ｌ２、絞りＳＰ、正の屈折力の第３レンズ群Ｌ３、負の屈折力の第４レンズ群Ｌ４、正の屈折力の第５レンズ群Ｌ５の５つのレンズ群から構成されている。
【００４８】
広角端から望遠端へのズーミングに際して、第１レンズ群が像側に凸の軌跡で物体側に移動、第２レンズ群が像側に移動し、第３レンズ群は物体側に移動し、第４レンズ群は物体側に移動し、第５レンズ群は物体側に凸の軌跡で移動している。
【００４９】
本実施形態のズームレンズは、第１レンズ群、第２レンズ群、第３レンズ群の移動により主な変倍を行っている。第１レンズ群は広角端から望遠端へのズーミングに際し、物体側に位置するように移動させることで、広角端におけるレンズ全長を短縮しつつ、大きな変倍比が得られるようにしている。
【００５０】
ポジティブリードのズームレンズの第１レンズ群の最も物体側面の径は、広角側の軸外光線で決まり、広角化するほど前玉径が大きく小型化が困難となる。そのため、広角端にてレンズ全長を短くし、第１レンズ群と絞りの位置を近づけ、ズーミングに際し、第１レンズ群を物体側に移動することで望遠端のズーム倍率を稼ぐ構成とすると、第１レンズ群の径を小さくできる。
【００５１】
球面収差やコマ収差は、第１レンズ群の正レンズの枚数を増やすことで補正しやすくなるが、枚数が増えることで大型化するため３枚構成とし、さらに広角側にてレンズ全長を短くし、第１レンズのレンズ径を決める軸外光線の高さを低くする配置にして小型化を実現している。
【００５２】
また、歪曲収差をある程度許容した電子収差補正前提の構成とすれば、第１レンズの径を小さくすることが可能となるため、小型化を図ることができる。また、広角端から望遠端へのズーミングに際し、第１レンズ群は一旦像側に移動し、その後物体側へ移動する像側凸の軌跡をとっている。中間領域にて第１レンズ群と絞りとの間隔を狭めることにより、第１レンズ群の径の拡大を防止し、小型化を実現している。
【００５３】
また、広角端から望遠端へのズーミングに際し、広角端に比べ望遠端において第２レンズ群Ｌ２が像側に位置するように移動させることにより、第２レンズ群Ｌ２に大きな変倍効果を持たせている。
【００５４】
また、広角端から望遠端へのズーミングに際し、広角端に比べ望遠端において第３レンズ群Ｌ３が物体側に位置するように移動させることにより、第３レンズ群Ｌ３に大きな変倍効果を持たせている。また、広角端から望遠端へのズーミングに際し、絞り群を他のレンズ群とは別体移動にすることで、小型化を図ることができる。
【００５５】
ポジティブリードのズームレンズの第１レンズ群の最も物体側面の径は、広角側の軸外光線で決まり、広角化するほど前玉径が大きくなるが、絞り群の位置を第１レンズ群に近づけるほど、第１レンズ群の径を小さくすることが可能になる。このように、広角端と望遠端において、レンズ群と絞り位置の相対関係を変える絞り別体移動とすることにより、広角端にて第１レンズ群の径を小さくしつつ、小型化、高倍率化を実現することができる。
【００５６】
また、広角端から望遠端へのズーミングに際し、広角端に比べ望遠端において第４レンズ群Ｌ４が物体側に位置するように移動させることにより、フォーカス群である第５レンズ群Ｌ５のフォーカススペースを確保している。第５レンズ群Ｌ５は、変倍に伴う同面変動を補正すると共に、光軸上を移動させてフォーカシングを行うリヤフォーカス式を採用している。ズーミングにおける第５レンズ群Ｌ５の移動軌跡を物体側に凸状とすることで、第４レンズ群Ｌ４と第５レンズ群Ｌ５の空間の有効利用を図り、レンズ全長の短縮化を効果的に達成している。
【００５７】
第５レンズ群Ｌ５に関する実線の曲線５ａと点線の曲線５ｂは、各々無限遠物体と近距離物体にフォーカスしているときの変倍に伴う像面変動を補正するための移動軌跡である。また望遠端において、無限遠物体から近距離物体へフォーカスを行う場合には、矢印５Ｃに示す如く第５レンズ群Ｌ５を前方に繰出すことで行っている。また、後群の第４レンズ群、第５レンズ群は総計３枚にて構成している。
【００５８】
広角端にて第３レンズ群は最も像側に位置するが、変倍比が大きく、小型化を達成しようとすると、結像面と第３レンズ群のスペースが狭くなる。第３レンズ群と結像面の間にフォーカスレンズを配置しているため、結像面と第３レンズ群のペースが少ないとレンズ群同士が干渉する。
【００５９】
具体的にはフォーカシングにて至近に寄れない、または、製造誤差によるピントずれを吸収したときにフォーカス群が物体側や像側の群と干渉してしまうなどの問題があり、小型化には３枚以下の構成が良いため、後群は３枚にて構成している。
【００６０】
本実施形態４、７のズームレンズは、物体側より像側へ順に、正の屈折力の第１レンズ群Ｌ１、負の屈折力の第２レンズ群Ｌ２、絞りＳＰ、正の屈折力の第３レンズ群Ｌ３、正の屈折力の第４レンズ群Ｌ４の４つのレンズ群から構成されている。広角端から望遠端へのズーミングに際して、第１レンズ群が像側に凸の軌跡で物体側に移動、第２レンズ群が像側に移動し、第３レンズ群は物体側に移動し、第４レンズ群は物体側に凸の軌跡で移動している。
【００６１】
本実施形態のズームレンズは、第１レンズ群、第２レンズ群、第３レンズ群の移動により主な変倍を行っている。第１レンズ群は広角端から望遠端へのズーミングに際し、物体側に位置するように移動させることで、広角端におけるレンズ全長を短縮しつつ、大きな変倍比が得られるようにしている。
【００６２】
ポジティブリードのズームレンズの第１レンズ群の最も物体側面の径は、広角側の軸外光線で決まり、広角化するほど前玉径が大きく小型化が困難となる。そのため、広角端にてレンズ全長を短くし、第１レンズ群と絞りの位置を近づけ、ズーミングに際し、第１レンズ群を物体側に移動することで望遠端のズーム倍率を稼ぐ構成とすると、第１レンズ群の径を小さくできる。
【００６３】
球面収差やコマ収差は、第１レンズ群の正レンズの枚数を増やすことで補正しやすくなるが、枚数が増えることで大型化するため３枚構成とし、さらに広角側にてレンズ全長を短くし、第１レンズのレンズ径を決める軸外光線の高さを低くする配置にして小型化を実現している。
【００６４】
また、歪曲収差をある程度許容した電子収差補正前提の構成とすれば、第１レンズの径を小さくすることが可能となるため、小型化を図ることができる。また、広角端から望遠端へのズーミングに際し、第１レンズ群は一旦像側に移動し、その後物体側へ移動する像側凸の軌跡をとっている。中間領域にて第１レンズ群と絞りとの間隔を狭めることにより、第１レンズ群の径の拡大を防止し、小型化を実現している。また、広角端から望遠端へのズーミングに際し、広角端に比べ望遠端において第２レンズ群Ｌ２が像側に位置するように移動させることにより、第２レンズ群Ｌ２に大きな変倍効果を持たせている。
【００６５】
また、広角端から望遠端へのズーミングに際し、広角端に比べ望遠端において第３レンズ群Ｌ３が物体側に位置するように移動させることにより、第３レンズ群Ｌ３に大きな変倍効果を持たせている。また、広角端から望遠端へのズーミングに際し、絞り群を他のレンズ群とは別体移動にすることで、小型化を図ることができる。
【００６６】
ポジティブリードのズームレンズの第１レンズ群の最も物体側面の径は、広角側の軸外光線で決まり、広角化するほど前玉径が大きくなるが、絞り群の位置を第１レンズ群に近づけるほど、第１レンズ群の径を小さくすることが可能になる。
【００６７】
このように、広角端と望遠端において、レンズ群と絞り位置の相対関係を変える絞り別体移動とすることにより、広角端にて第１レンズ群の径を小さくしつつ、小型化、高倍率化を実現することができる。
【００６８】
第４レンズ群Ｌ４は、変倍に伴う同面変動を補正すると共に、光軸上を移動させてフォーカシングを行うインナーフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。
【００６９】
また望遠端において、無限遠物体から近距離物体へフォーカスを行う場合には、矢印４Ｃに示す如く第４レンズ群Ｌ４を前方に繰出すことで行っている。また、後群の第４レンズ群は総計２枚にて構成している。
【００７０】
広角端にて第３レンズ群は最も像側に位置するが、変倍比が大きく、小型化を達成しようとすると、結像面と第３レンズ群のスペースが狭くなる。第３レンズ群と結像面の間にフォーカスレンズを配置しているため、結像面と第３レンズ群のペースが少ないとレンズ群同士が干渉する。
【００７１】
具体的にはフォーカシングにて至近に寄れない、または、製造誤差によるピントずれを吸収したときにフォーカス群が物体側や像側の群と干渉してしまうなどの問題があり、小型化には３枚以下の構成が良く、後群は２枚にて構成している。
【００７２】
本実施形態５のズームレンズは、物体側より像側へ順に、正の屈折力の第１レンズ群Ｌ１、負の屈折力の第２レンズ群Ｌ２、絞りＳＰ、正の屈折力の第３レンズ群Ｌ３、正の屈折力の第４レンズ群Ｌ４、負の屈折力の第５レンズ群Ｌ５の５つのレンズ群から構成されている。広角端から望遠端へのズーミングに際して、第１レンズ群が像側に凸の軌跡で物体側に移動、第２レンズ群が像側に移動し、第３レンズ群は物体側に移動し、第４レンズ群は物体側に凸の軌跡で移動し、第５レンズ群はズーム時不動としている。
【００７３】
本実施形態のズームレンズは、第１レンズ群、第２レンズ群、第３レンズ群の移動により主な変倍を行っている。第１レンズ群は広角端から望遠端へのズーミングに際し、物体側に位置するように移動させることで、広角端におけるレンズ全長を短縮しつつ、大きな変倍比が得られるようにしている。
【００７４】
ポジティブリードのズームレンズの第１レンズ群の最も物体側面の径は、広角側の軸外光線で決まり、広角化するほど前玉径が大きく小型化が困難となる。そのため、広角端にてレンズ全長を短くし、第１レンズ群と絞りの位置を近づけ、ズーミングに際し、第１レンズ群を物体側に移動することで望遠端のズーム倍率を稼ぐ構成とすると、第１レンズ群の径を小さくできる。
【００７５】
球面収差やコマ収差は、第１レンズ群の正レンズの枚数を増やすことで補正しやすくなるが、枚数が増えることで大型化するため３枚構成とし、さらに広角側にてレンズ全長を短くし、第１レンズのレンズ径を決める軸外光線の高さを低くする配置にして小型化を実現している。
【００７６】
また、歪曲収差をある程度許容した電子収差補正前提の構成とすれば、第１レンズの径を小さくすることが可能となるため、小型化を図ることができる。また、広角端から望遠端へのズーミングに際し、第１レンズ群は一旦像側に移動し、その後物体側へ移動する像側凸の軌跡をとっている。中間領域にて第１レンズ群と絞りとの間隔を狭めることにより、第１レンズ群の径の拡大を防止し、小型化を実現している。
【００７７】
また、広角端から望遠端へのズーミングに際し、広角端に比べ望遠端において第２レンズ群Ｌ２が像側に位置するように移動させることにより、第２レンズ群Ｌ２に大きな変倍効果を持たせている。また、広角端から望遠端へのズーミングに際し、広角端に比べ望遠端において第３レンズ群Ｌ３が物体側に位置するように移動させることにより、第３レンズ群Ｌ３に大きな変倍効果を持たせている。また、広角端から望遠端へのズーミングに際し、絞り群を他のレンズ群とは別体移動にすることで、小型化を図ることができる。
【００７８】
ポジティブリードのズームレンズの第１レンズ群の最も物体側面の径は、広角側の軸外光線で決まり、広角化するほど前玉径が大きくなるが、絞り群の位置を第１レンズ群に近づけるほど、第１レンズ群の径を小さくすることが可能になる。
【００７９】
このように、広角端と望遠端において、レンズ群と絞り位置の相対関係を変える絞り別体移動とすることにより、広角端にて第１レンズ群の径を小さくしつつ、小型化、高倍率化を実現することができる。
【００８０】
第４レンズ群Ｌ４は、変倍に伴う同面変動を補正すると共に、光軸上を移動させてフォーカシングを行うインナーフォーカス式を採用している。
ズーミングにおける第４レンズ群Ｌ４の移動軌跡を物体側に凸状とすることで、第３レンズ群Ｌ３と第４レンズ群Ｌ４の空間の有効利用を図り、レンズ全長の短縮化を効果的に達成している。
【００８１】
第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカスを行う場合には、矢印４Ｃに示す如く第４レンズ群Ｌ４を前方に繰出すことで行っている。
【００８２】
第５レンズ群Ｌ５は、像面付近に配置し、ズーム時固定としている。第５レンズ群を負レンズ群とすることにより、第４レンズ群の焦点距離を短くし、第４レンズ群の位置敏感度を高くすることができ、結果として第４レンズ群のフォーカシング移動量を少なすることができ、小型化が可能になる。また、後群の第４レンズ群、第５レンズ群は総計３枚にて構成している。
【００８３】
広角端にて第３レンズ群は最も像側に位置するが、変倍比が大きく、小型化を達成しようとすると、結像面と第３レンズ群のスペースが狭くなる。第３レンズ群と結像面の間にフォーカスレンズを配置しているため、結像面と第３レンズ群のペースが少ないとレンズ群同士が干渉する。
【００８４】
具体的にはフォーカシングにて至近に寄れない、または、製造誤差によるピントずれを吸収したときにフォーカス群が物体側や像側の群と干渉してしまうなどの問題があり、小型化には３枚以下の構成が良く、後群は３枚にて構成している。
【００８５】
本実施形態６のズームレンズは、物体側より像側へ順に、正の屈折力の第１レンズ群Ｌ１、負の屈折力の第２レンズ群Ｌ２、絞りＳＰ、正の屈折力の第３レンズ群Ｌ３、正の屈折力の第４レンズ群Ｌ４、正の屈折力の第５レンズ群Ｌ５から構成されている。広角端から望遠端へのズーミングに際して、第１レンズ群が像側に凸の軌跡で物体側に移動、第２レンズ群が像側に移動し、第３レンズ群は物体側に移動し、第４レンズ群は物体側に凸の軌跡で移動し、第５レンズ群はズーム時不動としている。
【００８６】
本実施形態のズームレンズは、第１レンズ群、第２レンズ群、第３レンズ群の移動により主な変倍を行っている。
【００８７】
第１レンズ群は広角端から望遠端へのズーミングに際し、物体側に位置するように移動させることで、広角端におけるレンズ全長を短縮しつつ、大きな変倍比が得られるようにしている。ポジティブリードのズームレンズの第１レンズ群の最も物体側面の径は、広角側の軸外光線で決まり、広角化するほど前玉径が大きく小型化が困難となる。
【００８８】
そのため、広角端にてレンズ全長を短くし、第１レンズ群と絞りの位置を近づけ、ズーミングに際し、第１レンズ群を物体側に移動することで望遠端のズーム倍率を稼ぐ構成とすると、第１レンズ群の径を小さくできる。
【００８９】
球面収差やコマ収差は、第１レンズ群の正レンズの枚数を増やすことで補正しやすくなるが、枚数が増えることで大型化するため３枚構成とし、さらに広角側にてレンズ全長を短くし、第１レンズのレンズ径を決める軸外光線の高さを低くする配置にして小型化を実現している。また、歪曲収差をある程度許容した電子収差補正前提の構成とすれば、第１レンズの径を小さくすることが可能となるため、小型化を図ることができる。
【００９０】
また、広角端から望遠端へのズーミングに際し、第１レンズ群は一旦像側に移動し、その後物体側へ移動する像側凸の軌跡をとっている。中間領域にて第１レンズ群と絞りとの間隔を狭めることにより、第１レンズ群の径の拡大を防止し、小型化を実現している。また、広角端から望遠端へのズーミングに際し、広角端に比べ望遠端において第２レンズ群Ｌ２が像側に位置するように移動させることにより、第２レンズ群Ｌ２に大きな変倍効果を持たせている。
【００９１】
また、広角端から望遠端へのズーミングに際し、広角端に比べ望遠端において第３レンズ群Ｌ３が物体側に位置するように移動させることにより、第３レンズ群Ｌ３に大きな変倍効果を持たせている。また、広角端から望遠端へのズーミングに際し、絞り群を他のレンズ群とは別体移動にすることで、小型化を図ることができる。ポジティブリードのズームレンズの第１レンズ群の最も物体側面の径は、広角側の軸外光線で決まり、広角化するほど前玉径が大きくなるが、絞り群の位置を第１レンズ群に近づけるほど、第１レンズ群の径を小さくすることが可能になる。
【００９２】
このように、広角端と望遠端において、レンズ群と絞り位置の相対関係を変える絞り別体移動とすることにより、広角端にて第１レンズ群の径を小さくしつつ、小型化、高倍率化を実現することができる。
【００９３】
第４レンズ群Ｌ４は、変倍に伴う同面変動を補正すると共に、光軸上を移動させてフォーカシングを行うインナーフォーカス式を採用している。
ズーミングにおける第４レンズ群Ｌ４の移動軌跡を物体側に凸状とすることで、第３レンズ群Ｌ３と第４レンズ群Ｌ４の空間の有効利用を図り、レンズ全長の短縮化を効果的に達成している。
【００９４】
第４レンズ群Ｌ４に関する実線の曲線４ａと点線の曲線４ｂは、各々無限遠物体と近距離物体にフォーカスしているときの変倍に伴う像面変動を補正するための移動軌跡である。また、望遠端において、無限遠物体から近距離物体へフォーカスを行う場合には、矢印４Ｃに示す如く第４レンズ群Ｌ４を前方に繰出すことで行っている。
【００９５】
第５レンズ群Ｌ５は像面付近に配置し、ズーム時固定としている。第５レンズ群を正レンズとすることにより、広角端でのテレセントリック性を良好にしている。また、後群の第４レンズ群、第５レンズ群は総計３枚にて構成している。広角端にて第３レンズ群は最も像側に位置するが、変倍比が大きく、小型化を達成しようとすると、結像面と第３レンズ群のスペースが狭くなる。
【００９６】
第３レンズ群と結像面の間にフォーカスレンズを配置しているため、結像面と第３レンズ群のペースが少ないとレンズ群同士が干渉する。具体的にはフォーカシングにて至近に寄れない、または、製造誤差によるピントずれを吸収したときにフォーカス群が物体側や像側の群と干渉してしまうなどの問題があり、小型化には３枚以下の構成が良く、後群は３枚にて構成している。
【００９７】
尚、本実施例のズームレンズにおいて、広角高変倍比であり、高性能である小型ハイスペックなズームレンズを得るためこの好ましい条件について説明する。
【００９８】
各実施例において、広角端の焦点距離をｆＷ、該第１レンズ群の焦点距離ｆ１、レンズの部分分散比をθｇＦ、アッベ数をνｄ、広角端から望遠端へのズーミングにおける第１レンズ群の広角端から最も像側のへ位置する中間領域までの移動量をＭａとしたとき、該第１レンズ群内の正レンズすべて、および、該第３レンズ群内の正レンズに少なくとも１枚、および、該後群レンズの少なくとも１枚が、
θｇＦ−（−１．６６５×１０−７・νｄ３＋５．２１３×１０−５・νｄ２−５．６５６×１０−３・νｄ＋０．７３７）＞  ０・・・（１）
１８．０  ＜  ｆ１／ｆＷ  ＜  ４０．０・・・（２）
３．０  ＜  ｆ１／Ｍａ  ＜  ３０．０・・・（３）
なる条件を満足することを特徴としている。
【００９９】
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、以下の式で表される。
νｄ＝（Ｎｄ−１）／（ＮＦ−ＮＣ）
θｇＦ＝（Ｎｇ−ＮＦ）／（ＮＦ−ＮＣ）
第１レンズ群Ｌ１にて発生した収差は、第１レンズ群以降像面まで続くレンズ群の横倍率分だけ収差が拡大されるため、第１レンズＬ１にて発生する光学収差を極力抑える必要がある。高倍率化により発生する軸上色収差を抑えるためには、θｇＦ-νｄ図において、第１レンズ群内の負レンズと正レンズの硝材を結んだ直線の傾きが緩やかなほど、軸上色収差の二次スペクトルを補正できる。
【０１００】
第１レンズ群Ｌ１の正レンズには、θｇＦ-νｄ図にてノーマルラインより離れた位置にある異常分散性の硝材を使用することで、二次スペクトルを補正できる。さらに、第１レンズ群Ｌ１の次に軸上光束の広がる第３レンズ群Ｌ３の正レンズにも、ノーマルラインから離れた硝材を使用することにより、軸上色収差の二次スペクトルを補正することができる。
【０１０１】
しかし、望遠端の軸上色収差の二次スペクトルを補正するために、ノーマルラインより離れた位置の材料を第１レンズ群Ｌ１、第３レン群Ｌ３の正レンズに使用すると、広角端の倍率色収差の二次スペクトルが低下する。そのため、３群より後群のレンズの１部に高分散側にて異常分散性のある硝材を使用することで、広角側の倍率色収差の二次スペクトルを低減できる。
【０１０２】
条件式（１）は第１レンズ群内の正レンズすべて、第３レンズ群内の正レンズの少なくとも１枚以上、第３レンズ群より像側の少なくとも１枚のレンズの硝材の部分分散比θｇＦを規定した条件式である。条件式（１）の左辺が０よりも小さくなると、望遠端にいて軸上色収差の二次スペクトルが増加するため好ましくない。
【０１０３】
条件式（２）は広角端の焦点距離とズーミングにおける第１レンズ群の焦点距離を規定するための条件式である。条件式（２）の上限値を超えて、第１レンズ群の焦点距離が大きくなると、広角端の焦点距離が短くなりすぎ、倍率色収差の補正が困難となる、あるいは、第１レンズ群の焦点距離が長くなるため、望遠端におけるレンズ全長が大きくなり好ましくない。条件式（２）の下限値を超えて、第１レンズ群の焦点距離が小さくなると、小型化には有利となるが、３枚構成では球面収差やコマ収差の補正が困難となるため、好ましくない。
また、広角側の焦点距離が長くなってしまい、所望の倍率を確保することが困難となるため、好ましくない。
【０１０４】
条件式（３）は広角端から望遠端へのズーミングにおける第１レンズ群の広角端から最も像側へ位置するまでの移動量Ｍａと第１レンズ群の焦点距離を規定した条件式である。条件式（３）の上限値を超えて、第１レンズ群の焦点距離が大きくなると、第１レンズ群の焦点距離が長くなり、望遠端におけるレンズ全長が大きくなり好ましくない。あるいは、第１レンズ群の移動量Ｍａが小さくなると、最軸外光線が広角側の中間ズーム領域で広がり、前玉系が大きくなるため好ましくない。
【０１０５】
条件式（３）の下限値を超えて第１レンズ群の焦点距離が小さくなると小型化には有利となるが、３枚では球面収差やコマ収差の補正が困難となるため、好ましくない。
【０１０６】
なお、各実施例において、好ましくは、条件式（１ａ）〜条件式（３ａ）の数値範囲を次の如くするのが良い。
θｇＦ−（−１．６６５×１０−７・νｄ３＋５．２１３×１０−５・νｄ２−５．６５６×１０−３・νｄ＋０．７３７）＞  ０・・・（１ａ）
１９．０  ＜  ｆ１／ｆＷ  ＜  ３７．０・・・（２ａ）
４．０  ＜  ｆ１／Ｍａ  ＜  ２０．０・・・（３ａ）
また、さらに好ましくは条件式（１ｂ）〜条件式（３ｂ）の数値範囲を次の如く設定すると、先に述べた各条件式が意味する効果を最大限に得られる。
θｇＦ−（−１．６６５×１０−７・νｄ３＋５．２１３×１０−５・νｄ２−５．６５６×１０−３・νｄ＋０．７３７）＞  ０・・・（１ｂ）
２０．０  ＜  ｆ１／ｆＷ  ＜  ３５．０・・・（２ｂ）
５．０  ＜  ｆ１／Ｍａ  ＜  １７．０・・・（３ｂ）
各実施例では以上の如く構成することにより、広角高変倍比であり、高性能である小型ハイスペックなズームレンズを得ることができる。
【０１０７】
各実施例において更に好ましくは次の条件式のうち１つ以上を満足することがより好ましい。
【０１０８】
望遠端の焦点距離をｆＴ、第２レンズ群の焦点距離をｆ２、第３レンズ群の焦点距離をｆ３、第１レンズ群のズーミングにおける移動量をＭ１、広角端から望遠端へのズーミングにおける第１レンズ群の最も像側へ位置する中間領域から望遠端までの移動量をＭｂ、第１レンズ内の正レンズのアッベ数をνｄ１、第３レンズ群以降のレンズアッベ数をνｄ３ｒ、第３レンズ群以降のレンズの屈折率の平均値をＮａｖｅ、第３レンズ群以降の正レンズのアッベ数をνｄ３ｐｒ、第３レンズ群以降の正レンズ群内の負レンズのアッベ数をνｄ３ｎｒとする。
１．５  ＜  ｆＴ／ｆ１  ＜ ５．０・・・（４）
１５．０  ＜  ｜ｆＴ／ｆ２｜  ＜  ５０．０・・・（５）
９.０  ＜  ｆＴ／ｆ３  ＜  ２８．０・・・（６）
−２５．０  ＜  Ｍ１／ｆＷ ＜  −３．０・・・（７）
２．０  ＜  ｆ１／ｆ３  ＜  １２．０・・・（８）
６．０  ＜  ｜ｆ１／ｆ２｜  ＜  １５．０・・・（９）
１．０  ＜  ｜ＤＷ｜／｜ＤＴ｜  ＜  １００．０・・・（１０）
−２０．０  ＜  Ｍｂ／Ｍａ  ＜  −２．０・・・（１１）
１．５０００  ＜  Ｎａｖｅ ＜  １．５９００・・・（１２）
６５．０  ＜  νｄ１  ＜  １００．０・・・（１３）
２０．０  ＜  νｄ３ｒ  ＜  ６５.０・・・（１４）
５０．０  ＜  νｄ３ｐｒ  ＜  ６０.０・・・（１５）
２０．０  ＜  νｄ３ｎｒ  ＜  ３０．０・・・（１６）
なる条件のうち１つ以上を満足するのが良い。
【０１０９】
条件式（４）は望遠端の焦点距離と第１レンズ群の焦点距離を規定した条件式である。条件式（４）の上限値を超えて、望遠端の焦点距離が大きくなると、球面収差、コマ収差が増大するため、好ましくない。あるいは第１レンズ群の焦点距離が短くなり、球面収差、コマ収差の補正が困難となるため、好ましくない。
【０１１０】
条件式（４）の下限値を超えて、望遠端の焦点距離が短くなると、倍率が稼げなくなり好ましくない。あるいは第１レンズ群の焦点距離が大きくなることで、第１レンズ群の移動量が大きくなり、レンズ全長が大型化するため好ましくない。
【０１１１】
条件式（５）は望遠端の焦点距離と第２レンズ群の焦点距離の比を規定した条件式である。条件式（５）の上限値を超えて第２レンズ群の焦点距離が長くなると、変倍比を稼ぐために第１レンズ群の移動量が大きくなり、大型化するため好ましくない。条件式（５）の下限値を超えて、第２レンズ群の焦点距離が短くなると、第１レンズ群の移動量は少なくても所定の変倍比が得られるが、像面湾曲が大きくなり補正が困難となるため、好ましくない。
【０１１２】
条件式（６）は望遠端の焦点距離と第３レンズ群の焦点距離の比を規定した条件式である。条件式（６）の上限値を超えて、第３レンズ群の焦点距離が短くなると、変倍比は稼げるが、第３レンズ群の焦点距離が短くなりすき、球面収差、コマ収差の補正が困難となり、好ましくない。条件式（６）の下限値を超えて、第３レンズ群の焦点距離が長くなると、倍率を稼ぐために移動量が増加し、小型化が困難となるため好ましくない。
【０１１３】
条件式（７）は広角端の焦点距離とズーミングにおける第１レンズ群の移動量を規定するための条件式である。条件式（７）の下限値を超えて、第１レンズ群の移動量が大きくなると、望遠端におけるレンズ全長が大型化するため、好ましくない。あるいは、広角端の焦点距離が短くなりすぎると、第１レンズの径が大きくなり、大型化するため好ましくない。
【０１１４】
条件式（７）の上限値を超えて、第１レンズ群の移動量が小さくなると、第１レンズ群の焦点距離が短くなり、球面収差やコマ収差が大きくなり補正困難となるため好ましくない。あるいは広角端の焦点距離が長くなり、所定のズーム倍率を確保することが困難となるため好ましくない。
【０１１５】
条件式（８）は第１レンズ群の焦点距離と第３レンズ群の焦点距離の比を規定した条件式である。条件式（８）の上限値を超えて、第１レンズ群の焦点距離が大きくなると、第１レンズ群の移動量が大きくなり、大型化になるため好ましくない。あるいは第３レンズ群の焦点距離が短くなるため変倍比は稼げるが、第３レンズ群の焦点距離が短くなりすき、球面収差、コマ収差が補正が困難となり、好ましくない。
【０１１６】
条件式（８）の下限値を超えて、第１レンズ群の焦点距離が短くなると、球面収差、コマ収差が大きくなり、補正のためにレンズ枚数の増加が必要となり、第１レンズ群の径が大きくなるため好ましくない。第３レンズ群の焦点距離が長くなり、小型でありながら所定の倍率を稼ぐことが困難となるため、好ましくない。
【０１１７】
条件式（９）は第１レンズ群焦点距離と第２レンズ群の焦点距離の比を規定した条件式である。条件式（９）の上限値を超えて第１レンズ群の焦点距離が大きくなると、第１レンズ群の移動量が大きくなり、大型化になるため好ましくない。あるいは第２レンズ群の焦点距離が短くなるため変倍比は稼げるが、第２レンズ群の焦点距離が短くなりすき、像面湾曲が補正できなくなるため、好ましくない。
【０１１８】
条件式（９）の下限値を超えて第１レンズ群の焦点距離が短くなると、球面収差、コマ収差が大きくなり、補正のためにレンズ枚数の増加が必要となり、第１レンズ群の径が大きくなるため好ましくない。あるいは、第２レンズ群の焦点距離が長くなり、小型でありながら所定の倍率を稼ぐことが困難となるため、好ましくない。
【０１１９】
条件式（１０）は広角端と望遠端における絞り群と第３レンズ群の間隔を規定した条件式である。条件式（１０）の下限値を超えて広角端における第３レンズ群と絞りの間隔が大きくなると、絞りと第１レンズが近づくため、第１レンズ群の径の小型化には有利であるが、第３レンズ群の径が大型化するため、好ましくない。条件式（１０）の上限値を超えて広角端における絞り群と第３レンズ群の間隔が狭くなると、第１レンズ群の径が大型化するため、好ましくない。
【０１２０】
条件式（１１）は広角端から望遠端へのズーミングにおける第１レンズ群の広角端から最も像側へ位置する中間領域までの移動量Ｍａと、最も像側へ位置する中間領域から望遠端までの移動量Ｍｂを規定した条件式である。
【０１２１】
条件式（１１）の上限値を超えて、中間領域から望遠端までの移動量が大きくなると、望遠端におけるレンズ全長が大きくなり好ましくない。あるいは、第１レンズ群の移動量Ｍａが小さくなると、最軸外光線が広角側の中間ズーム領域で広がりため、前玉系が大きくなるため好ましくない。条件式（１１）の下限値を超えて中間領域から望遠端までの移動量が小さくなると、第１レンズ群の焦点距離が短くなり、望遠端での球面収差やコマ収差が低下するため好ましくない。
【０１２２】
条件式（１２）は第３群レンズ群以降の硝材の屈折率の平均値を規定した条件式である。条件式（１２）の上限値を超えて屈折率が大きくなると、材料の選択範囲が多く、収差補正には有利となるが、異常分散特性を持つガラス材料が少なく、色収差の補正が困難となるため好ましくない。条件式（１２）の下限値を超えて屈折率が小さくなると、存在する材料が少なく、材料が限定されてしまい、収差補正困難となり好ましくない。
【０１２３】
条件式（１３）は第１レンズ群内の正レンズのアッベ数を規定した条件式である。条件式（１３）の下限値を超えてアッベ数が小さくなると、望遠端の軸上色収差が補正できなくなるため好ましくない。色収差を補正しようとすると、接合面の曲率がきつくなり、レンズのコバを確保するために、レンズが大型化するため好ましくない。条件式（１３）の上限値を超えてアッベ数が大きくなると、軸上色収差の補正や小型化には有利であるが実在する硝材がなく好ましくない。
【０１２４】
条件式（１４）は第３群レンズ群以降のレンズのアッベ数を規定した条件式である。条件式（１４）の下限値を超えてアッベ数が小さくなると、特に負レンズの硝材において、望遠端の軸上色収差が補正不足、広角端の倍率色収差が補正過剰となるため好ましくない。また、条件式（１４）の上限値を超えてアッベ数が大きくなると、特に正レンズの硝材において、望遠端の倍率色収差が補正不足となるため、好ましくない。
【０１２５】
条件式（１５）は第３群レンズ群以降の正レンズ硝材のアッベ数規定した条件式である。
条件式（１５）の上限値を超えてアッベ数が大きくなると、望遠端の倍率色収差の補正不足となり、好ましくない。条件式（１５）の下限値を超えてアッベ数が小さくなると、負レンズとのアッベ数差が小さくなるため、色収差を補正するためにレンズの曲率がきつくなり、コバを確保しなければならず、結果としてレンズの厚みが増し大型化するため好ましくない。
【０１２６】
条件式（１６）は第３群レンズ群以降の正レンズ群内の負レンズ硝材のアッベ数規定した条件式である。条件式（１６）の上限値を超えてアッベ数が大きくなると、群内の正レンズとのアッベ数差が小さくなり、色収差を補正するためにレンズの曲率がきつくなり、コバを確保しなければならず、結果としてレンズの厚みが増す。また望遠端の倍率色収差が補正不足となるため、好ましくない。条件式（１６）の下限値を超えてアッベ数が小さくなると、望遠端の軸上色収差が補正不足、広角端の倍率色収差が補正過剰となるため好ましくない。
【０１２７】
なお、各実施例において、好ましくは、条件式（４ａ）〜条件式（１６ａ）の数値範囲を次の如くするのが良い。
２．０  ＜  ｆＴ／ｆ１  ＜ ４．０・・・（４ａ）
２０．０  ＜  ｆＴ／ｆ２  ＜  ４５．０・・・（５ａ）
１０．０  ＜  ｆＴ／ｆ３  ＜  ２６．０・・・（６ａ）
−２４．０  ＜  Ｍ１／ｆＷ ＜  −８．０・・・（７ａ）
３．０  ＜  ｆ１／ｆ３  ＜  １０．０・・・（８ａ）
７．０  ＜  ｜ｆ１／ｆ２｜  ＜  １４．０・・・（９ａ）
１０．０  ＜  ｜ＤＷ｜／｜ＤＴ｜  ＜  ３００．０・・・（１０ａ）
−１６．０  ＜  Ｍｂ／Ｍａ  ＜  −３．０・・・（１１ａ）
１．５２００  ＜  Ｎａｖｅ ＜  １．５８００・・・（１２ａ）
７５．０  ＜  νｄ１  ＜  １００．０・・・（１３ａ）
２３．０  ＜  νｄ３ｒ  ＜  ６０．０・・・（１４ａ）
５２．０  ＜  νｄ３ｐｒ  ＜  ５９.０・・・（１５ａ）
２２．０  ＜  νｄ３ｎｒ  ＜  ２８．０・・・（１６ａ）
【０１２８】
また、さらに好ましくは条件式（４ｂ）〜条件式（１６ｂ）の数値範囲を次の如く設定すると、先に述べた各条件式が意味する効果を最大限に得られる。
２．１  ＜  ｆＴ／ｆ１  ＜ ３．６・・・（４ｂ）
２４．０  ＜  ｆＴ／ｆ２  ＜  ４２．０・・・（５ｂ）
１２．５  ＜  ｆＴ／ｆ３  ＜  ２５．０・・・（６ｂ）
−２３．０  ＜  Ｍ１／ｆＷ ＜  −１１．０・・・（７ｂ）
４．５  ＜  ｆ１／ｆ３  ＜  ９．０・・・（８ｂ）
９．５  ＜  ｜ｆ１／ｆ２｜  ＜  １３．０・・・（９ｂ）
１５．０  ＜  ｜ＤＷ｜／｜ＤＴ｜  ＜  ２５０．０・・・（１０ｂ）
−１４．０  ＜  Ｍｂ／Ｍａ  ＜  −４．０・・・（１１ｂ）
１．５４００  ＜  Ｎａｖｅ ＜  １．５７００・・・（１２ｂ）
８０．０  ＜  νｄ１  ＜  １００．０・・・（１３ｂ）
２３．５  ＜  νｄ３ｒ  ＜  ５７．０・・・（１４ｂ）
５４．０  ＜  νｄ３ｐｒ  ＜  ５８.０・・・（１５ｂ）
２３．０  ＜  νｄ３ｎｒ  ＜  ２７．１・・・（１６ｂ）
【０１２９】
各実施例では以上のように各要素を構成することにより、広角高変倍比であり、高性能である小型ハイスペックなズームレンズを得ることができる。レンズ系が広角タイプの場合、軸外光線により第１レンズ群Ｌ１のレンズ外径が決まるため、第１レンズ群Ｌ１の構成レンズ枚数が少ないほど小型化に有利であり３枚構成とするのが良い。
【０１３０】
さらに、第１レンズの外径の決まる広角側のレンズ全長を縮めることで前玉における軸外光線の高さを低く構成にすることが好ましい。第１レンズ群Ｌ１は物体側より、負レンズ１１、正レンズ１２、正レンズ１３、３枚から構成することが好ましい。
【０１３１】
また、第２レンズ群Ｌ２は広角化を実現する場合は、負レンズ群が先行した物体側より負レンズ２１、負レンズ２２を有し、最終レンズが正レンズであることが望ましい。ズーミングに際して移動する第２レンズ群Ｌ２をこのような負レンズ先行のレンズ群構成にすることで、広角化に対応することが可能となった。第２レンズ群Ｌ２に続く第３レンズ群Ｌ３は正の屈折率を有することが望ましい。
【０１３２】
広角端において、軸上光束は負の屈折力の第２レンズ群Ｌ２を通過すると発散光束となるが、第２レンズ群Ｌ２に続く後群の最も物体側に位置するレンズ群を正の屈折力とすることで、光束に対して収斂作用を持たせ、後群のレンズ有効径を小さくすることができる。また、第３レンズ群Ｌ３は物体側より正レンズ３１、負レンズ３２、正レンズ３３を有する構成とし、正レンズ３１、正レンズ３３を非球面レンズとすることが望ましい。
【０１３３】
この構成はトリプレット構成で、非球面レンズ化することにより、球面収差やコマ収差を全ズーム領域にて補正することが可能となる。また、第３レンズ群Ｌ３から像面までのレンズはすべて単レンズとして構成することがよい。異常分散硝材のレンズに非球面レンズを効果的に配置させることで、接合レンズを使用しなくとも、球面収差、コマ収差、色収差の補正が可能となる。接合レンズ使用による、レンズ肉厚の増加を防ぐことができる。
【０１３４】
次に、本発明の実施形態を示す。各実施形態において、ｉは物体側からの面の順序を示し、Ｒｉはレンズ面の曲率半径、Ｄｉは第ｉ面と第ｉ＋１面との間のレンズ肉厚および空気間隔、Ｎｉ、νｉはそれぞれｄ線に対する屈折率、アッベ数を示す。
【０１３５】
また、最も像側の２面はフエースプレート等のガラス材である。また、ｋ、Ｂ，Ｃ，Ｄ，Ｅは非球面係数である。非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ｂｈ4＋Ｃｈ6＋Ｄｈ8＋Ｅｈ10
+Ｆｈ12で表される。但しＲは曲率半径である。
【０１３６】
本実施形態は以上の様に各要素を設定する事により、特に、固体撮像素子を用いた撮影系に好適な、変倍比が５０倍以上の広角で高変倍な優れた光学性能を有するズームレンズが達成出来る。
【０１３７】
又、本発明によれば第１レンズ群中、第３レンズ群中、第３レンズ群から像側までに配置しているレンズ、またはスペックに応じて第２レンズ群中に効果的に非球面を導入し、特に第３レンズ群Ｌ３以降のレンズと第２レンズ群Ｌ２の屈折力を適切に設定することによって軸外諸収差、特に非点収差・歪曲収差および広角高変倍化した際の球面収差、コマ収差の補正が効果的に行える。
【０１３８】
以下、本実施形態の各数値実施例を開示する。それに先立ち、各図面と数値実施例との対応関係を以下に記す。又、前述の各条件式と各実施形態との関係を表１に示す。各レンズ断面図において、左方が被写体側（前方）で、右方が像側（後方）である。レンズの移動方向は被写体側から像側へ進む方向を正の値としている。
【０１３９】
実施例１、２、３において、Ｌ１は正の屈折力（光学的パワー＝焦点距離の逆数）の第１レンズ群（又は１群）、Ｌ２は負の屈折力の第２レンズ群（又は２群）、Ｌ３は正の屈折力の第３レンズ群（又は３群）、Ｌ４は負の屈折力の第４レンズ群（又は４群）、Ｌ５は正の屈折力の広角第５レンズ群（又は５群）である。
【０１４０】
実施例１、２、３において、ｇ２は正の屈折力の第２レンズ、ｇ３は正の屈折力の第３レンズ、ｇ８は正の屈折力の第８レンズ、ｇ９は負の屈折力の第９レンズ、ｇ１０は正の屈折力の第１０レンズ、ｇ１１は負の屈折力の第１１レンズ、ｇ１２は正の屈折力の第１２レンズ、ｇ１３は負の屈折力の第１３レンズである。
【０１４１】
実施例４、７において、Ｌ１は正の屈折力（光学的パワー＝焦点距離の逆数）の第１レンズ群（又は１群）、Ｌ２は負の屈折力の第２レンズ群（又は２群）、Ｌ３は正の屈折力の第３レンズ群（又は３群）、Ｌ４は正の屈折力の第４レンズ群（又は４群）、ｇ２は正の屈折力の第２レンズ、ｇ３は正の屈折力の第３レンズ、ｇ８は正の屈折力の第８レンズ、ｇ９は負の屈折力の第９レンズ、ｇ１０は正の屈折力の第１０レンズ、ｇ１１は負の屈折力の第１１レンズ、ｇ１２は正の屈折力の第１２レンズ、ｇ１３は正の屈折力の第１３レンズである。
【０１４２】
実施例５において、Ｌ１は正の屈折力（光学的パワー＝焦点距離の逆数）の第１レンズ群（又は１群）、Ｌ２は負の屈折力の第２レンズ群（又は２群）、Ｌ３は正の屈折力の第３レンズ群（又は３群）、Ｌ４は正の屈折力の第４レンズ群（又は４群）、Ｌ５は負の屈折力の第５レンズ群（又は５群）、ｇ２は正の屈折力の第２レンズ、ｇ３は正の屈折力の第３レンズ、ｇ８は正の屈折力の第８レンズ、ｇ９は負の屈折力の第９レンズ、ｇ１０は正の屈折力の第１０レンズ、ｇ１１は負の屈折力の第１１レンズ、ｇ１２は正の屈折力の第１２レンズ、ｇ１３は負の屈折力の第１３レンズ、ｇ１４は負の屈折力の第１４レンズである。
【０１４３】
実施例６において、Ｌ１は正の屈折力（光学的パワー＝焦点距離の逆数）の第１レンズ群（又は１群）、Ｌ２は負の屈折力の第２レンズ群（又は２群）、Ｌ３は正の屈折力の第３レンズ群（又は３群）、Ｌ４は正の屈折力の第４レンズ群（又は４群）、Ｌ５は正の屈折力の第５レンズ群（又は５群）、ｇ２は正の屈折力の第２レンズ、ｇ３は正の屈折力の第３レンズ、ｇ８は正の屈折力の第８レンズ、ｇ９は負の屈折力の第９レンズ、ｇ１０は正の屈折力の第１０レンズ、ｇ１１は負の屈折力の第１１レンズ、ｇ１２は正の屈折力の第１２レンズ、ｇ１３は負の屈折力の第１３レンズ、ｇ１４は正の屈折力の第１４レンズである。
【０１４４】
ＳＰは絞り（あるいは虹彩絞り）、Ｇは水晶ローパスフィルターや赤外カットフィルター等のガラスブロックである。ＩＰはＣＣＤセンサやＣＭＯＳセンサなどの固体撮像素子（光電変換素子）の感光面が位置する像面である。
【０１４５】
数値実施例１
単位 mm
面データ
面番号       r        d      nd         vd     θgF
1         78.113    1.45   1.91082    35.3           
2         50.472    6.25   1.43875    94.9    0.5340 
3       -398.303    0.05                             
4         47.302    3.80   1.49700    81.5    0.5375 
5        180.983  (可変)                             
6        137.811    0.75   1.88300    40.8           
7          8.403    4.17                             
8         80.360    0.60   2.00100    29.1           
9         22.382    1.65                             
10        -52.815    0.60   1.88300    40.8           
11         52.815    0.10                             
12         19.084    2.25   1.95906    17.5           
13       1131.396  (可変)                             
14(絞り)    ∞     (可変)                             
15*         9.474    2.90   1.53160    55.8    0.5684 
16*       -52.412    2.17                             
17         33.318    0.40   1.63540    23.9           
18          8.681    0.97                             
19*        21.478    2.20   1.53160    55.8    0.5684 
20*       -20.493  (可変)                             
21        -39.098    0.70   1.53530    55.8    0.5625 
22         28.580  (可変)                             
23         24.772    2.85   1.53160    55.8    0.5684 
24        -17.782    0.70                             
25        -17.625    0.50   1.63540    23.9    0.6354 
26        -36.698  (可変)                             
27          ∞       0.80   1.51633    64.1           
28          ∞     (可変)                             
像面        ∞   
非球面データ
第15面
K =-6.67014e-001  A 4=-6.99528e-005  A 6=-4.00959e-006  A 8= 1.33166e-008  
第16面
K = 0.00000e+000  A 4=-6.18045e-005  A 6=-4.89349e-006  A 8= 6.27370e-008  
第19面
K = 0.00000e+000  A 4=-1.58930e-004  A 6= 7.58559e-007  A 8=-9.95307e-008  
第20面
K = 0.00000e+000  A 4=-1.04320e-004  A 6= 2.40671e-006  A 8=-2.17243e-007  
各種データ
ズーム比     58.26 
広角     中間     望遠
焦点距離       3.69     7.78   215.00  
Fナンバー      3.50     4.50     7.07  
画角          40.73    26.47     1.03  
レンズ全長    96.85    84.38   150.26  
BF            10.28    14.42     9.96  
d 5            0.75     1.76    69.93  
d13           31.11    12.49     1.05  
d14           15.34    10.22     0.45  
d20            2.62     3.17     8.41  
d22            1.69     7.28    25.40  
d26            9.25    13.39     8.94  
d28            0.50     0.50     0.50  
ズームレンズ群データ
群  始面    焦点距離  
1    1      89.47  
2    6      -8.65  
3   15      16.63  
4   21     -30.73  
5   23      30.54  
【０１４６】
数値実施例２
単位 mm
面データ
面番号       r        d      nd         vd      θgF
1         61.084    1.45   1.91082    35.3           
2         40.708    6.95   1.43875    94.9    0.5340 
3       -758.599    0.05                             
4         39.693    3.75   1.49700    81.5    0.5375 
5        156.956  (可変)                             
6        143.113    0.75   1.88300    40.8           
7          8.117    3.79                             
8         28.238    0.60   2.00100    29.1           
9         15.091    2.39                             
10        -39.146    0.60   1.88300    40.8           
11         39.146    0.10                             
12         18.099    2.25   1.95906    17.5           
13       2763.457  (可変)                             
14(絞り)    ∞     (可変)                             
15*         9.144    2.90   1.53160    55.8   0.5684  
16*       -43.346    1.90                             
17         43.583    0.40   1.63540    23.9           
18          9.025    1.20                             
19*        21.478    2.20   1.53160    55.8   0.5684  
20*       -20.493  (可変)                             
21        -80.870    0.70   1.53530    55.8   0.5625  
22         18.688  (可変)                             
23         23.037    2.85   1.53160    55.8   0.5684  
24        -20.837    0.70                             
25        -22.823    0.50   1.63540    23.9   0.6354  
26        -65.522  (可変)                             
27          ∞       0.80   1.51633    64.1           
28          ∞     (可変)                             
像面        ∞   
非球面データ
第15面
K =-4.80456e-001  A 4=-1.04133e-004  A 6=-4.18839e-006  A 8=-1.01933e-007  
第16面
K = 0.00000e+000  A 4=-5.50236e-005  A 6=-7.17236e-006  A 8= 2.55057e-009  
第19面
K = 0.00000e+000  A 4=-2.64611e-004  A 6= 3.76415e-008  A 8=-1.06382e-007  
第20面
K = 0.00000e+000  A 4=-1.88807e-004  A 6= 5.43135e-006  A 8=-2.86874e-007  
各種データ
ズーム比     58.26 
広角     中間     望遠
焦点距離       3.69     6.77   215.00  
Fナンバー      3.50     4.50     7.07  
画角          40.73    29.78     1.03  
レンズ全長    95.94    82.38   139.77  
BF            10.27    16.10     9.96  
d 5            0.75     1.69    57.15  
d13           29.92    15.66     1.00  
d14           14.26     8.28     0.50  
d20            2.60     2.29     9.45  
d22            2.11     2.33    25.68  
d26            9.25    15.07     8.93  
d28            0.50     0.50     0.50  
ズームレンズ群データ
群  始面    焦点距離  
1    1      75.60  
2    6      -7.69  
3   15      16.09  
4   21     -28.29  
5   23      32.61  
【０１４７】
数値実施例３
単位 mm
面データ
面番号       r        d      nd         vd     θgF
1         78.121    1.45   1.91082    35.3           
2         51.414    5.85   1.43875    94.9    0.5340 
3       -467.153    0.05                             
4         47.460    3.85   1.49700    81.5    0.5375 
5        141.495  (可変)                             
6        107.990    0.75   1.88300    40.8           
7          7.490    3.87                             
8        126.447    0.60   2.00100    29.1           
9         23.535    1.31                             
10        -46.187    0.60   1.88300    40.8           
11         46.187    0.10                             
12         17.772    2.00   1.95906    17.5           
13       -629.035  (可変)                             
14(絞り)    ∞     (可変)                             
15*         9.081    2.90   1.53160    55.8   0.5684  
16*       -41.156    1.86                             
17         56.254    0.40   1.63540    23.9           
18          9.190    0.83                             
19*        21.478    2.20   1.53160    55.8   0.5684  
20*       -20.493  (可変)                             
21       -184.376    0.70   1.53530    55.8   0.5625  
22         27.776  (可変)                             
23         24.951    2.85   1.53160    55.8   0.5684  
24        -17.848    0.70                             
25        -17.977    0.50   1.63540    23.9   0.6354  
26        -42.997  (可変)                             
27          ∞       0.80   1.51633    64.1           
28          ∞     (可変)                             
像面        ∞   
非球面データ
第15面
K =-5.38712e-001  A 4=-9.20389e-005  A 6=-5.08508e-006  A 8=-4.27655e-008  
第16面
K = 0.00000e+000  A 4=-7.88118e-005  A 6=-4.05490e-006  A 8=-2.76509e-008  
第19面
K = 0.00000e+000  A 4=-2.08652e-004  A 6= 4.58694e-006  A 8= 1.32334e-007  
第20面
K = 0.00000e+000  A 4=-8.96243e-005  A 6= 5.09650e-006  A 8= 2.13801e-008  
各種データ
ズーム比     58.27 
広角     中間     望遠
焦点距離       3.69     7.06   215.00  
Fナンバー      3.50     4.50     7.07  
画角          40.73    28.78     1.03  
レンズ全長    84.67    78.67   157.63  
BF             9.23    13.64     9.99  
d 5            0.75     4.51    75.79  
d13           27.90    13.13     1.00  
d14            8.80     6.52     0.50  
d20            2.84     2.14    10.27  
d22            1.79     5.36    26.71  
d26            8.20    12.61     8.96  
d28            0.50     0.50     0.50  
ズームレンズ群データ
群  始面    焦点距離  
1    1      95.89  
2    6      -7.85  
3   15      16.10  
4   21     -45.05  
5   23      32.47  
【０１４８】
数値実施例４
単位 mm
面データ
面番号       r        d      nd         vd     θgF
1         84.168    1.45   1.83400    37.2           
2         54.107    6.60   1.43875    94.9   0.5340  
3       -825.230    0.05                             
4*        50.861    5.30   1.43875    94.9   0.5340  
5*       243.305  (可変)                             
6         85.924    0.75   1.88300    40.8           
7          8.399    4.68                             
8         76.086    0.60   2.00100    29.1           
9         29.245    1.90                             
10        -28.815    0.60   1.88300    40.8           
11         72.694    0.10                             
12         24.400    1.95   2.10205    16.8           
13       -582.961  (可変)                             
14(絞り)    ∞     (可変)                             
15*         9.577    2.65   1.53160    55.8    0.5684 
16*       -26.638    2.31                             
17         32.351    0.40   1.63540    23.9           
18          8.074    0.94                             
19*        21.478    2.20   1.53160    55.8    0.5684 
20*       -20.493    1.33                             
21        -26.839    0.70   1.53160    55.8    0.5684 
22         36.421  (可変)                             
23         27.771    3.20   1.53160    55.8    0.5684 
24        -15.202    0.30                             
25        -14.801    0.50   1.60737    27.0    0.6338 
26        -33.283  (可変)                             
27          ∞       0.80   1.51633    64.1           
28          ∞     (可変)                             
像面        ∞   
非球面データ
第4面
K = 0.00000e+000  A 4= 1.94305e-007  A 6=-1.11856e-009  A 8=-3.38284e-013  
第5面
K = 0.00000e+000  A 4= 3.07161e-007  A 6=-1.62209e-009  A 8= 4.48949e-013  
第15面
K =-6.04446e-001  A 4=-2.19960e-004  A 6=-5.47936e-006  A 8=-1.16029e-007  
第16面
K = 0.00000e+000  A 4=-1.96975e-004  A 6=-3.77977e-006  A 8=-6.30415e-008  
第19面
K = 0.00000e+000  A 4=-2.33808e-004  A 6= 6.83910e-006  A 8= 4.22411e-008  
第20面
K = 0.00000e+000  A 4=-1.82370e-004  A 6= 7.13136e-006  A 8=-2.49160e-007  
各種データ
ズーム比     94.39 
広角     中間     望遠
焦点距離       3.71     8.01   350.00  
Fナンバー      3.50     4.50     7.50  
画角          40.59    25.82     0.63  
レンズ全長    97.89    86.94   167.41  
BF            10.02    14.32     2.82  
d 5            0.75     2.61    80.65  
d13           35.42    20.79     1.25  
d14           10.27     1.30     0.16  
d22            2.92     9.39    44.02  
d26            8.99    13.30     1.79  
d28            0.50     0.50     0.50  
ズームレンズ群データ
群  始面    焦点距離  
1    1     100.56  
2    6      -8.69  
3   15      21.30  
4   23      32.14  
【０１４９】
数値実施例５
単位 mm
面データ
面番号       r        d      nd         vd     θgF
1         83.179    1.45   1.83400    37.2           
2         53.722    6.85   1.43875    94.9   0.5340  
3       -741.479    0.05                             
4*        50.692    5.30   1.43875    94.9   0.5340  
5*       233.255  (可変)                             
6        136.896    0.75   1.88300    40.8           
7          8.538    4.27                             
8         79.811    0.60   2.00100    29.1           
9         31.691    1.79                             
10        -27.301    0.60   1.88300    40.8           
11         71.182    0.10                             
12         24.335    2.00   2.10205    16.8           
13       -622.597  (可変)                             
14(絞り)    ∞     (可変)                             
15*         9.656    4.00   1.53160    55.8   0.5684  
16*       -28.531    1.66                             
17         31.540    0.40   1.63540    23.9           
18          8.221    1.08                             
19*        21.478    2.50   1.53160    55.8   0.5684  
20*       -20.493    1.29                             
21        -18.192    0.70   1.53160    55.8   0.5684  
22       -356.954  (可変)                             
23         33.370    4.00   1.49171    57.4   0.5537  
24        -14.393    0.30                             
25        -13.746    0.50   1.60737    27.0   0.6338  
26        -22.462  (可変)                             
27        -31.977    0.50   1.53160    55.8   0.5684  
28          ∞       0.36                             
29          ∞       0.50   1.51633    64.1           
30          ∞     (可変)                             
像面        ∞   
非球面データ
第4面
K = 0.00000e+000  A 4=-2.66716e-008  A 6=-3.37878e-010  A 8=-4.77699e-014  
第5面
K = 0.00000e+000  A 4= 2.13736e-008  A 6=-4.25537e-010  A 8= 1.40973e-013  
第15面
K =-6.12408e-001  A 4=-1.63375e-004  A 6=-2.98704e-006  
第16面
K = 0.00000e+000  A 4=-2.12052e-004  
第19面
K = 0.00000e+000  A 4=-3.90302e-004  A 6= 1.71908e-005  A 8=-4.87834e-007  
第20面
K = 0.00000e+000  A 4=-2.86319e-004  A 6= 1.57568e-005  A 8=-5.83038e-007  
各種データ
ズーム比     95.02 
広角     中間     望遠
焦点距離       3.72     8.04   353.33  
Fナンバー      3.50     4.50     7.50  
画角          40.51    25.72     0.63  
レンズ全長    98.28    87.09   168.19  
BF             1.19     1.19     1.19  
d 5            0.30     1.70    79.68  
d13           35.70    19.94     0.87  
d14            9.12     1.29    -0.30  
d22            3.92    11.20    45.27  
d26            7.37    11.07     0.80  
d30            0.50     0.50     0.50  
ズームレンズ群データ
群  始面    焦点距離  
1    1      99.80  
2    6      -8.52  
3   15      20.61  
4   23      31.97  
5   27     -60.15  
【０１５０】
数値実施例６
単位 mm
面データ
面番号       r        d      nd         vd    θgF
1         90.305    1.45   1.83400    37.2           
2         56.643    6.45   1.43875    94.9   0.5340  
3       -902.818    0.05                             
4*        48.053    5.70   1.43875    94.9   0.5340  
5*       239.191  (可変)                             
6         80.694    0.75   1.88300    40.8           
7          8.225    4.39                             
8         62.127    0.60   2.00100    29.1           
9         24.042    1.97                             
10        -29.468    0.60   1.88300    40.8           
11         89.392    0.10                             
12         24.054    1.95   2.10205    16.8           
13       -633.992  (可変)                             
14(絞り)    ∞     (可変)                             
15*         8.973    3.55   1.53160    55.8   0.5684  
16*       -27.470    1.72                             
17         47.843    0.40   1.63540    23.9           
18          8.485    0.73                             
19*        21.478    2.20   1.53160    55.8   0.5684  
20*       -20.493    3.67                             
21        -20.139    0.70   1.53160    55.8   0.5684  
22         33.357  (可変)                             
23*        22.830    3.15   1.53530    55.8   0.5625  
24*       -16.571    0.70                             
25        -16.787    0.50   1.63540    23.9   0.6354  
26        -35.561  (可変)                             
27         54.466    1.50   1.53160    55.8   0.5684  
28        -40.435    0.50                             
29          ∞       0.50   1.51633    64.1           
30          ∞     (可変)                             
像面        ∞   
非球面データ
第4面
K = 0.00000e+000  A 4=-1.02259e-007  A 6=-7.79693e-010  A 8=-2.23608e-013  
第5面
K = 0.00000e+000  A 4= 4.29216e-008  A 6=-1.01026e-009  A 8= 3.25991e-013  
第15面
K =-3.09427e-001  A 4=-1.82374e-004  A 6=-4.35812e-006  A 8= 1.96848e-007  
第16面
K = 0.00000e+000  A 4=-1.80297e-004  A 6= 5.07345e-006  A 8= 1.11412e-007  
第19面
K = 0.00000e+000  A 4=-4.51052e-004  A 6= 2.66860e-005  A 8=-5.73648e-008  
第20面
K = 0.00000e+000  A 4=-2.62378e-004  A 6= 1.70189e-005  A 8=-1.19064e-007  
第23面
K = 0.00000e+000  A 4=-6.73980e-005  A 6= 3.02529e-006  A 8=-7.75395e-008  
第24面
K = 0.00000e+000  A 4=-5.51758e-005  A 6= 3.13243e-006  A 8=-7.59813e-008  
各種データ
ズーム比     94.56 
広角     中間     望遠
焦点距離       3.70     7.83   350.00  
Fナンバー      3.50     4.50     7.50  
画角          40.65    26.32     0.63  
レンズ全長    97.80    86.97   167.12  
BF             1.33     1.33     1.33  
d 5            0.75     2.04    80.04  
d13           33.30    18.35     0.50  
d14           11.64     3.95     0.05  
d22            3.24     8.94    40.15  
d26            4.71     9.53     2.23  
d30            0.50     0.50     0.50  
ズームレンズ群データ
群  始面    焦点距離  
1    1      99.62  
2    6      -8.58  
3   15      20.04  
4   23      27.92  
5   27      43.90  
【０１５１】
数値実施例７
単位 mm
面データ
面番号       r        d      nd         vd      θgF
1        107.819    1.45   1.83400    37.2           
2         67.633    5.40   1.43875    94.9   0.5340  
3      -2333.672    0.05                             
4*        61.251    4.80   1.43875    94.9   0.5340  
5*       355.686  (可変)                             
6        178.324    0.75   1.88300    40.8           
7          9.125    3.91                             
8         57.141    0.60   2.00100    29.1           
9         35.622    1.80                             
10        -28.144    0.60   1.88300    40.8           
11         83.031    0.10                             
12         24.809    1.95   2.10205    16.8           
13        687.378  (可変)                             
14(絞り)    ∞     (可変)                             
15*         9.316    3.00   1.53160    55.8   0.5684  
16*       -22.736    1.75                             
17         27.904    0.40   1.63540    23.9           
18          7.859    1.09                             
19*        21.478    2.20   1.53160    55.8   0.5684  
20*       -20.493    1.50                             
21        -29.875    0.70   1.53160    55.8   0.5684  
22         27.889  (可変)                             
23         29.985    2.20   1.53160    55.8   0.5684  
24        -17.586    0.30                             
25        -18.553    0.50   1.60737    27.0   0.6338  
26        -55.497  (可変)                             
27          ∞       0.80   1.51633    64.1           
28          ∞     (可変)                             
像面        ∞   
非球面データ
第4面
K = 0.00000e+000  A 4=-3.96378e-007  A 6=-2.73697e-010  A 8= 1.07137e-013  
第5面
K = 0.00000e+000  A 4=-3.98596e-007  A 6=-1.64949e-010  A 8= 1.44967e-013  
第15面
K = 2.20208e-001  A 4=-3.56506e-004  A 6=-3.73929e-006  A 8=-7.07848e-008  
第16面
K = 0.00000e+000  A 4=-1.57098e-004  A 6= 1.10186e-006  A 8=-5.40368e-008  
第19面
K = 0.00000e+000  A 4=-2.13924e-004  A 6= 1.54362e-005  A 8= 3.00161e-007  
第20面
K = 0.00000e+000  A 4=-1.72531e-004  A 6= 1.12815e-005  A 8= 1.09966e-007  
各種データ
ズーム比     94.16 
広角     中間     望遠
焦点距離       3.72     8.09   350.00  
Fナンバー      3.50     4.50     7.50  
画角          40.53    25.59     0.63  
レンズ全長    96.24    86.51   179.89  
BF             9.16    11.16     2.07  
d 5            0.75     5.42   103.79  
d13           35.19    20.58     0.42  
d14           12.98     3.99     0.05  
d22            3.11    10.30    38.52  
d26            8.13    10.14     1.04  
d28            0.50     0.50     0.50  
ズームレンズ群データ
群  始面    焦点距離  
1    1     125.00  
2    6      -9.70  
3   15      19.70  
4   23      38.16  
【０１５２】
【表１】
2019095626.tif 000003
【符号の説明】
【０１５３】
Ｌ１  第１レンズ群
Ｌ２  第２レンズ群
Ｌ３  第３レンズ群
Ｌ４  第４レンズ群
Ｌ５  第５レンズ群
ＳＰ  絞り
Ｇ    ガラスブロック
ＩＰ  像面
ｄ    ｄ線
ｇ    ｇ線
Ｓ    サジタル像面
Ｍ    メリディオナル像面
ｇ２  第２レンズ
ｇ３  第３レンズ
ｇ８  第８レンズ
ｇ９  第９レンズ
ｇ１０  第１０レンズ
ｇ１１  第１１レンズ
ｇ１２  第１２レンズ
ｇ１３  第１３レンズ
ｇ１４  第１４レンズ
【図１】
2019095626.tif 000004
【図２】
2019095626.tif 000005
【図３】
2019095626.tif 000006
【図４】
2019095626.tif 000007
【図５】
2019095626.tif 000008
【図６】
2019095626.tif 000009
【図７】
2019095626.tif 000010
【図８】
2019095626.tif 000011
【図９】
2019095626.tif 000012
【図１０】
2019095626.tif 000013
【図１１】
2019095626.tif 000014
【図１２】
2019095626.tif 000015
【図１３】
2019095626.tif 000016
【図１４】
2019095626.tif 000017
【図１５】
2019095626.tif 000018
【図１６】
2019095626.tif 000019
【図１７】
2019095626.tif 000020
【図１８】
2019095626.tif 000021
【図１９】
2019095626.tif 000022
【図２０】
2019095626.tif 000023
【図２１】
2019095626.tif 000024
【図２２】
2019095626.tif 000025
【図２３】
2019095626.tif 000026
【図２４】
2019095626.tif 000027
【図２５】
2019095626.tif 000028
【図２６】
2019095626.tif 000029
【図２７】
2019095626.tif 000030
【図２８】
2019095626.tif 000031
【図２９】
2019095626.tif 000032
【図３０】
2019095626.tif 000033